(57)【特許請求の範囲】
【請求項１】
外部機器から、差動信号により、ＨＤＭＩケーブルを介して映像信号を受信する信号受信部と、
上記ＨＤＭＩケーブルに含まれるリザーブラインとＨＰＤラインにより構成される双方向通信路を介して上記外部機器と通信を行う通信部と、
上記ＨＤＭＩケーブルに含まれるＣＥＣラインを用いて上記外部機器にミュート状況を問い合わせ、上記外部機器から上記ＣＥＣラインを用いて送られてくるミュート状況を受信するミュート問い合わせ部と、を備え、
上記ＨＰＤラインは、直流バイアス電位によって上記外部機器に接続状態を通知する機能を有し、
上記通信部は、
上記双方向通信路に共通に接続される送信回路と受信回路を有し、
上記受信回路の出力信号から上記送信回路に入力する送信信号を減算して受信信号を得る
受信装置。
【請求項２】
外部機器から、差動信号により、ＨＤＭＩケーブルを介して映像信号を受信する信号受信部を備える受信装置における通信方法であって、
上記ＨＤＭＩケーブルに含まれるリザーブラインとＨＰＤラインにより構成される双方向通信路を介して通信を行う通信部を用いて上記外部機器と通信を行い、
ミュート問い合わせ部で、上記ＨＤＭＩケーブルに含まれるＣＥＣラインを用いて上記外部機器にミュート状況を問い合わせ、上記外部機器から上記ＣＥＣラインを用いて送られてくるミュート状況を受信し、
上記ＨＰＤラインは、直流バイアス電位によって上記外部機器に接続状態を通知する機能を有し、
上記通信部は、
上記双方向通信路に共通に接続される送信回路と受信回路を有し、
上記受信回路の出力信号から上記送信回路に入力する送信信号を減算して受信信号を得る
通信方法。
【発明の詳細な説明】
【技術分野】
【０００１】
この発明は、例えば、ＨＤＭＩ(High Definition Multimedia Interface)等の通信インタフェースを用いる受信装置および通信方法に関する。
【背景技術】
【０００２】
近年、例えば、ＤＶＤ(Digital Versatile Disc)レコーダや、セットトップボックス、その他のＡＶソース（Audio Visual source）から、テレビジョン受像機、プロジェクタ、その他のディスプレイに対して、デジタル映像信号、すなわち、非圧縮（ベースバンド）の映像信号（以下、「画像データ」という）と、その映像信号に付随するデジタル音声信号（以下、「音声データ」という）とを、高速に伝送する通信インタフェースとして、ＨＤＭＩが普及しつつある（例えば、特許文献１参照）。
【０００３】
ＨＤＭＩで接続された機器間では、当該ＨＤＭＩに規定されたＣＥＣ(Consumer Electronics Control)規格により制御を行っている。しかし、このＣＥＣ規格は、アナログでのＳＣＡＲＴ(Syndicat des Constructeurs d'Appareils Radiorecepteurs et Televiseurs)端子による機器制御のデータ構造と伝送スピードを継承している。そのため、制御情報の伝送スピードは約４００bpsと遅く、データ構造も基本的には１６バイト毎の伝送になっているので、高速レスポンスを要する制御や1６バイトを超える制御情報の伝送には不向きである。
【０００４】
特許文献２には、受信したパーシャルＴＳ(Transport Stream)を送出部より別の映像機器装置に出力する際、メッセージ情報のみを分離抽出し、ＵＰｎＰ(Universal Plug and Play)表現へ変換した後、前述の送出部より出力する技術が提案されている。また、特許文献３には、受信装置と録画装置間でデータ及び制御情報の授受を行うが、受信装置側が録画制御に関して処理手段を持つものが提案されている。
【先行技術文献】
【特許文献】
【０００５】
【特許文献１】特開２００６−３１９５０３号公報
【特許文献２】特開２００６−３１９５７３号公報
【特許文献３】特開２００３−２０９７７５号公報
【発明の概要】
【発明が解決しようとする課題】
【０００６】
上述した特許文献２に記載される技術は、機器間の制御に関わるものではない。また、上述した特許文献３に記載される技術は、機器間の制御に関わるものであるが、ＨＤＭＩ接続された機器間の制御ではない。
【０００７】
この発明の目的は、ＨＤＭＩのインタフェースを用いて接続される機器間の通信を良好に行い得るようにすることにある。
【課題を解決するための手段】
【０００８】
この発明の概念は、
外部機器から、差動信号により、ＨＤＭＩケーブルを介して映像信号を受信する信号受信部と、
上記ＨＤＭＩケーブルに含まれるリザーブラインとＨＰＤラインにより構成される双方向通信路を介して上記外部機器と通信を行う通信部と、
上記ＨＤＭＩケーブルに含まれるＣＥＣラインを用いて上記外部機器にミュート状況を問い合わせ、上記外部機器から上記ＣＥＣラインを用いて送られてくるミュート状況を受信するミュート問い合わせ部と、を備え、
上記ＨＰＤラインは、直流バイアス電位によって上記外部機器に接続状態を通知する機能を有し、
上記通信部は、
上記双方向通信路に共通に接続される送信回路と受信回路を有し、
上記受信回路の出力信号から上記送信回路に入力する送信信号を減算して受信信号を得る
受信装置にある。
【発明の効果】
【０００９】
この発明によれば、ＨＤＭＩのインタフェースを用いて接続される機器間の通信を良好に行うことができる。
【図面の簡単な説明】
【００１０】
【図１】実施の形態としてのＨＤＭＩインタフェースを用いた通信システムの構成例を示すブロック図である。
【図２】シンク機器としてのテレビ受信機の構成例を示すブロック図である。
【図３】リモコンコードを送信するＩＰパケットの構成を示す図である。
【図４】リピータ機器としてのオーディオアンプの構成例を示すブロック図である。
【図５】ソース機器としてのＤＶＤレコーダの構成例を示すブロック図である。
【図６】ＨＤＭＩ送信部（ＨＤＭＩソース）とＨＤＭＩ受信部（ＨＤＭＩシンク）の構成例を示すブロック図である。
【図７】ＴＭＤＳ伝送データの構造を示す図である。
【図８】ＨＤＭＩ端子のピン配列（タイプＡ）を示す図である。
【図９】テレビ受信機１００の高速データラインインタフェース１０３と、オーディオアンプ２００の高速データラインインタフェース２０３ａの構成例を示す接続図である。
【図１０】テレビ受信機１００で見ている映像（画像）をＤＶＤレコーダ３００で記録する「ワンタッチ録画」のシーケンスを説明するための図である。
【図１１】高速データラインインタフェースを備えていなかった場合における「ワンタッチ録画」のシーケンスを比較例として示す図である。
【図１２】テレビ受信機１００とオーディオアンプ２００の間で音声出力の切り替えを行う「シアターモード」のシーケンスを説明するための図である。
【図１３】高速データラインインタフェースを備えていなかった場合における「シアターモード」のシーケンスを比較例として示す図である。
【図１４】「リモコ制御」のシーケンスを説明するための図である。
【図１５】高速データラインインタフェースを備えていなかった場合における「リモコ制御」のシーケンスを比較例として示す図である。
【発明を実施するための形態】
【００１１】
以下、図面を参照しながら、この発明の実施の形態について説明する。図１は、実施の形態としての通信システム１０の構成例を示している。この通信システム１０は、シンク機器としてのテレビ受信機１００と、リピータ機器としてのオーディオアンプ２００と、ソース機器としてのＤＶＤレコーダ３００とを有している。テレビ受信機１００およびＤＶＤレコーダ３００には、テレビ放送の受信アンテナ４００が接続されている。また、オーディオアンプ２００には、５．１ch用のスピーカ群５００が接続されている。
【００１２】
テレビ受信機１００およびオーディオアンプ２００はＨＤＭＩケーブル６１０を介して接続されている。テレビ受信機１００には、ＨＤＭＩ受信部（ＨＤＭＩ ＲＸ）１０２と、通信部を構成する高速データラインインタフェース(Ｉ／Ｆ)１０３とが接続されたＨＤＭＩ端子１０１が設けられている。また、オーディオアンプ２００には、ＨＤＭＩ送信部（ＨＤＭＩ ＴＸ）２０２ａと、通信部を構成する高速データラインインタフェース(Ｉ／Ｆ)２０３ａとが接続されたＨＤＭＩ端子２０１ａが設けられている。上述したＨＤＭＩケーブル６１０の一端はテレビ受信機１００のＨＤＭＩ端子１０１に接続され、このＨＤＭＩケーブル６１０の他端はオーディオアンプ２００のＨＤＭＩ端子２０１ａに接続されている。
【００１３】
また、オーディオアンプ２００およびＤＶＤレコーダ３００はＨＤＭＩケーブル６２０を介して接続されている。オーディオアンプ２００には、ＨＤＭＩ受信部（ＨＤＭＩ ＲＸ）２０２ｂと、通信部を構成する高速データラインインタフェース(Ｉ／Ｆ)２０３ｂとが接続されたＨＤＭＩ端子２０１ｂが設けられている。また、ＤＶＤレコーダ３００には、ＨＤＭＩ送信部（ＨＤＭＩ ＴＸ）３０２と、通信部を構成する高速データラインインタフェース(Ｉ／Ｆ)３０３とが接続されたＨＤＭＩ端子３０１が設けられている。上述したＨＤＭＩケーブル６２０の一端はオーディオアンプ２００のＨＤＭＩ端子２０１ｂに接続され、このＨＤＭＩケーブル６２０の他端はＤＶＤレコーダ３００のＨＤＭＩ端子３０１に接続されている。
【００１４】
図２は、テレビ受信機１００の構成例を示している。このテレビ受信機１００は、ＨＤＭＩ端子１０１と、ＨＤＭＩ受信部１０２と、高速データラインインタフェース１０３と、アンテナ端子１０５と、デジタルチューナ１０６と、デマルチプレクサ１０７と、ＭＰＥＧ(Moving Picture Expert Group)デコーダ１０８と、映像信号処理回路１０９と、グラフィック生成回路１１０と、パネル駆動回路１１１と、表示パネル１１２と、音声信号処理回路１１３と、音声増幅回路１１４と、スピーカ１１５と、ＤＴＣＰ(Digital Transmission Content Protection)回路１１６と、内部バス１２０と、ＣＰＵ(Central Processing Unit)１２１と、フラッシュＲＯＭ(Read Only Memory)１２２と、ＤＲＡＭ(Dynamic Random Access Memory)１２３と、イーサネットインタフェース（Ethernet I/F）１２４と、ネットワーク端子１２５と、リモコン受信部１２６と、リモコン送信機１２７とを有している。
【００１５】
なお、「イーサネット」および「Ｅｔｈｅｒｎｅｔ」は登録商標である。デジタルチューナ１０６およびデマルチプレクサ１０７は放送受信部を構成している。また、リモコン受信部１２６およびリモコン送信機１２７はユーザ操作部を構成している。
【００１６】
アンテナ端子１０５は、上述した受信アンテナ４００で受信されたテレビ放送信号を入力する端子である。デジタルチューナ１０６は、アンテナ端子１０５に入力されるテレビ放送信号を処理して、ユーザの選択チャネルに対応した所定のトランスポートストリームを出力する。デマルチプレクサ１０７は、デジタルチューナ１０６で得られたトランスポートストリームから、ユーザの選択チャネルに対応した、パーシャルＴＳ（Transport Stream）（映像データのＴＳパケット、音声データのＴＳパケット）を抽出する。
【００１７】
また、デマルチプレクサ１０７は、デジタルチューナ１０６で得られたトランスポートストリームから、ＰＳＩ／ＳＩ(Program Specific Information/Service Information)を取り出し、ＣＰＵ１２１に出力する。デジタルチューナ１０６で得られたトランスポートストリームには、複数のチャネルが多重化されている。デマルチプレクサ１０７で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００１８】
ＭＰＥＧデコーダ１０８は、デマルチプレクサ１０７で得られる映像データのＴＳパケットにより構成される映像ＰＥＳ(Packetized Elementary Stream)パケットに対してデコード処理を行って映像データを得る。また、ＭＰＥＧデコーダ１０８は、デマルチプレクサ１０７で得られる音声データのＴＳパケットにより構成される音声ＰＥＳパケットに対してデコード処理を行って音声データを得る。なお、このＭＰＥＧデコーダ１０８は、必要に応じて、ＤＴＣＰ回路１１６で復号化されて得られた映像および音声のＰＥＳパケットに対してデコード処理を行って映像データおよび音声データを得る。
【００１９】
映像信号処理回路１０９およびグラフィック生成回路１１０は、ＭＰＥＧデコーダ１０８で得られた映像データに対して、必要に応じてマルチ画面処理、グラフィックスデータの重畳処理等を行う。パネル駆動回路１１１は、グラフィック生成回路１１０から出力される映像データに基づいて、表示パネル１１２を駆動する。表示パネル１１２は、例えば、ＬＣＤ(Liquid Crystal Display)、ＰＤＰ(Plasma Display Panel)等で構成されている。音声信号処理回路１１３はＭＰＥＧデコーダ１０８で得られた音声データに対してＤ／Ａ変換等の必要な処理を行う。音声増幅回路１１４は、音声信号処理回路１１３から出力される音声信号を増幅してスピーカ１１５に供給する。
【００２０】
ＤＴＣＰ回路１１６は、デマルチプレクサ１０７で抽出されたパーシャルＴＳを、必要に応じて暗号化する。また、ＤＴＣＰ回路１１６は、ネットワーク端子１２５あるいは高速データラインインタフェース１０３からイーサネットインタフェース１２４に供給される暗号化データを復号する。
【００２１】
ＣＰＵ１２１は、テレビ受信機１００の各部の動作を制御する。フラッシュＲＯＭ１２２は、制御ソフトウェアの格納およびデータの保管を行う。ＤＲＡＭ１２３は、ＣＰＵ１２１のワークエリアを構成する。ＣＰＵ１２１は、フラッシュＲＯＭ１２２から読み出したソフトウェアやデータをＤＲＡＭ１２３上に展開してソフトウェアを起動させ、テレビ受信機１００の各部を制御する。リモコン受信部１２６は、リモコン送信機１２７から送信されたリモーコントロール信号（リモコンコード）を受信し、ＣＰＵ１２１に供給する。ＣＰＵ１２１、フラッシュＲＯＭ１２２、ＤＲＡＭ１２３およびイーサネットインタフェース１２４は、内部バス１２０に接続されている。
【００２２】
ＨＤＭＩ受信部（ＨＤＭＩシンク）１０２は、ＨＤＭＩに準拠した通信により、ＨＤＭＩケーブル６１０を介してＨＤＭＩ端子１０１に供給されるベースバンドの映像（画像）と音声のデータを受信する。このＨＤＭＩ受信部１０２の詳細は後述する。高速データラインインタフェース１０３は、ＨＤＭＩケーブル６１０を構成する所定のライン（この実施の形態においては、リザーブライン、ＨＰＤライン）を用いた双方向通信のインタフェースである。この高速データラインインタフェース１０３の詳細は後述する。
【００２３】
図２に示すテレビ受信機１００の動作を簡単に説明する。
【００２４】
アンテナ端子１０５に入力されるテレビ放送信号はデジタルチューナ１０６に供給される。このデジタルチューナ１０６では、テレビ放送信号を処理して、ユーザの選択チャネルに対応した所定のトランスポートストリームが出力され、当該所定のトランスポートストリームはデマルチプレクサ１０７に供給される。このデマルチプレクサ１０７では、トランスポートストリームから、ユーザの選択チャネルに対応した、パーシャルＴＳ（映像データのＴＳパケット、音声データのＴＳパケット）が抽出され、当該パーシャルＴＳはＭＰＥＧデコーダ１０８に供給される。
【００２５】
ＭＰＥＧデコーダ１０８では、映像データのＴＳパケットにより構成される映像ＰＥＳパケットに対してデコード処理が行われて映像データが得られる。この映像データは、映像信号処理回路１０９およびグラフィック生成回路１１０において、必要に応じてマルチ画面処理、グラフィックスデータの重畳処理等が行われた後に、パネル駆動回路１１１に供給される。そのため、表示パネル１１２には、ユーザの選択チャネルに対応した画像が表示される。
【００２６】
また、ＭＰＥＧデコーダ１０８では、音声データのＴＳパケットにより構成される音声ＰＥＳパケットに対してデコード処理が行われて音声データが得られる。この音声データは、音声信号処理回路１１３でＤ／Ａ変換等の必要な処理が行われ、さらに、音声増幅回路１１４で増幅された後に、スピーカ１１５に供給される。そのため、スピーカ１１５から、ユーザの選択チャネルに対応した音声が出力される。
【００２７】
上述したテレビ放送信号の受信時において、デマルチプレクサ１０７で抽出されたパーシャルＴＳは、ＤＴＣＰ回路１１６で暗号化された後、イーサネットインタフェース１２４を介して高速データラインインタフェース１０３に送信データとして供給される。そのため、当該パーシャルＴＳは、ＨＤＭＩ端子１０１に接続されたＨＤＭＩケーブル６１０の所定ラインを介してオーディオアンプ２００側に送信される。
【００２８】
上述したテレビ放送信号の受信時において、デマルチプレクサ１０７で抽出されたパーシャルＴＳをネットワークに送出する際には、当該パーシャルＴＳはＤＴＣＰ回路１１６で暗号化された後、イーサネットインタフェース１２４を介してネットワーク端子１２５に出力される。
【００２９】
リモコン受信部１２６ではリモコン送信機１２７から送信されたリモコンコード（リモーコントロール信号）が受信され、当該リモコンコードはＣＰＵ１２１に供給される。ＣＰＵ１２１は、このリモコンコードがテレビ受信機１００の制御に関係する場合、このリモコンコードに基づいて、テレビ受信機１００の各部を制御する。
【００３０】
また、ＣＰＵ１２１では、リモコン受信部１２６から供給されるリモコンコードを含むＩＰパケットが生成される。このＩＰパケットは、イーサネットインタフェース１２４および高速データラインインタフェース１０３を介して、ＨＤＭＩ端子１０１に出力される。そのため、ＩＰパケットは、ＨＤＭＩ端子１０１に接続されたＨＤＭＩケーブル６１０を通じてオーディオアンプ２００側に送信される。また、このＩＰパケットは、必要に応じてネットワークに送出される。その場合、当該ＩＰパケットは、イーサネットインタフェース１２４を介してネットワーク端子１２５に出力される。
【００３１】
図３は、リモコンコードを含むＩＰパケットの構成を示している。ＩＰパケットは、ＩＰヘッダと、ペイロードと、ＣＲＣとからなっている。リモコンコードを含むＩＰパケットにおいては、ペイロード部分に、リモコンコードが挿入されている。
【００３２】
なお、ネットワーク端子１２５からイーサネットインタフェース１２４に供給される、あるいは、ＨＤＭＩ端子１０１から高速データラインインタフェース１０３を介してイーサネットインタフェース１２４に供給される、暗号化されているパーシャルＴＳは、ＤＴＣＰ回路１１６で復号化された後に、ＭＰＥＧデコーダ１０８に供給される。以降は、上述したテレビ放送信号の受信時と同様の動作となり、表示パネル１１２に画像が表示され、スピーカ１１５から音声が出力される。
【００３３】
また、ＨＤＭＩ受信部１０２では、ＨＤＭＩ端子１０１にＨＤＭＩケーブル６１０を介して接続されているオーディオアンプ２００側から送信されてくる、映像（画像）データおよび音声データが取得される。この映像データおよび音声データは、それぞれ、映像信号処理回路１０９および音声信号処理回路１１３に供給される。以降は、上述したテレビ放送信号の受信時と同様の動作となり、表示パネル１１２に画像が表示され、スピーカ１１５から音声が出力される。
【００３４】
図４は、オーディオアンプ２００の構成例を示している。このオーディオアンプ２００は、ＨＤＭＩ端子２０１ａ，２０１ｂと、ＨＤＭＩ送信部２０２ａと、ＨＤＭＩ受信部２０２ｂと、高速データラインインタフェース２０３ａ，２０３ｂと、ＭＰＥＧデコーダ２０４と、映像・グラフィック処理回路２０５と、音声処理回路２０７と、音声増幅回路２０８と、音声出力端子２０９ａ〜２０９ｅと、ＤＴＣＰ回路２１０と、イーサネットインタフェース２１１と、内部バス２１２と、ＣＰＵ２１３と、フラッシュＲＯＭ２１４と、ＤＲＡＭ２１５とを有している。
【００３５】
ＨＤＭＩ送信部（ＨＤＭＩソース）２０２ａは、ＨＤＭＩに準拠した通信により、ベースバンドの映像（画像）と音声のデータを、ＨＤＭＩ端子２０１ａからＨＤＭＩケーブル６１０に送出する。ＨＤＭＩ受信部（ＨＤＭＩシンク）２０２ｂは、ＨＤＭＩに準拠した通信により、ＨＤＭＩケーブル６２０を介してＨＤＭＩ端子２０１ｂに供給されるベースバンドの映像（画像）と音声のデータを受信する。ＨＤＭＩ送信部２０２ａおよびＨＤＭＩ受信部２０２ｂの詳細は後述する。
【００３６】
高速データラインインタフェース２０３ａは、ＨＤＭＩケーブル６１０を構成する所定のライン（この実施の形態においては、リザーブライン、ＨＰＤライン）を用いた双方向通信のインタフェースである。高速データラインインタフェース２０３ｂは、ＨＤＭＩケーブル６２０を構成する所定のライン（この実施の形態においては、リザーブライン、ＨＰＤライン）を用いた双方向通信のインタフェースである。高速データラインインタフェース２０３ａ，２０３ｂの詳細は後述する。
【００３７】
ＤＴＣＰ回路２１０は、高速データラインインタフェース２０３ｂを介してイーサネットインタフェース２１１に供給される、暗号化されているパーシャルＴＳを復号化する。ＭＰＥＧデコーダ２０４は、ＤＴＣＰ回路２１０で復号化されて得られたパーシャルＴＳのうち、音声のＰＥＳパケットに対してデコード処理を行って音声データを得る。
【００３８】
音声処理回路２０７は、ＭＰＥＧデコーダ２０４で得られた音声データにＤ／Ａ変換等の必要な処理を行う。音声増幅回路２０８は、音声処理回路２０７から出力されるフロントレフト音声信号ＳFL、フロントライト音声信号ＳFR、フロントセンタ音声信号ＳFCと、リアレフト音声信号ＳRLおよびリアライト音声信号ＳRRを増幅して、音声出力端子２０９ａ，２０９ｂ，２０９ｃ，２０９ｄおよび２０９ｅに出力する。
【００３９】
なお、音声出力端子２０９ａ，２０９ｂ，２０９ｃ，２０９ｄおよび２０９ｅには、それぞれ、スピーカ群５００を構成するフロントレフトスピーカ５００ａ、フロントライトスピーカ５００ｂ、フロントセンタースピーカ５００ｃ、リアレフトスピーカ５００ｄおよびリアライトスピーカ５００ｅが接続されている。
【００４０】
音声処理回路２０７は、さらに、ＨＤＭＩ受信部２０２ｂで得られた音声データを、必要な処理を施した後に、ＨＤＭＩ送信部２０２ａに供給する。映像・グラフィック処理回路２０５は、ＨＤＭＩ受信部２０２ｂで得られた映像（画像）データを、グラフィックスデータの重畳等の処理を施した後に、ＨＤＭＩ送信部２０２ａに供給する。
【００４１】
ＣＰＵ２１３は、オーディオアンプ２００の各部の動作を制御する。フラッシュＲＯＭ２１４は、制御ソフトウェアの格納およびデータの保管を行う。ＤＲＡＭ２１５は、ＣＰＵ２１３のワークエリアを構成する。ＣＰＵ２１３は、フラッシュＲＯＭ２１４から読み出したソフトウェアやデータをＤＲＡＭ２１５上に展開してソフトウェアを起動させ、オーディオアンプ２００の各部を制御する。ＣＰＵ２１３、フラッシュＲＯＭ２１４、ＤＲＡＭ２１５およびイーサネットインタフェース２１１は、内部バス２１２に接続されている。
【００４２】
図４に示すオーディオアンプ２００の動作を簡単に説明する。
【００４３】
ＨＤＭＩ受信部２０２ｂでは、ＨＤＭＩ端子２０１ｂにＨＤＭＩケーブル６２０を介して接続されているＤＶＤレコーダ３００から送信されてくる、映像（画像）データおよび音声データが取得される。この映像データおよび音声データは、それぞれ、映像・グラフィック処理回路２０５および音声処理回路２０７を介して、ＨＤＭＩ送信部２０２ａに供給され、当該ＨＤＭＩ端子２０１ａに接続されたＨＤＭＩケーブル６１０を介してテレビ受信機１００に送信される。
【００４４】
高速データラインインタフェース２０３ａでは、ＨＤＭＩ端子２０１ａに接続されているＨＤＭＩケーブル６１０の所定ラインを通じてテレビ受信機１００から送信されてくる、暗号化されたパーシャルＴＳが受信される。このパーシャルＴＳはイーサネットインタフェース２１１を介してＤＴＣＰ回路２１０に供給されて復号化される。
【００４５】
ＤＴＣＰ回路２１０で復号化されたパーシャルＴＳは、ＭＰＥＧデコーダ２０４に供給される。ＭＰＥＧデコーダ２０４では、パーシャルＴＳを構成する音声データのＰＥＳパケットに対してデコード処理が施されて音声データが得られる。この音声データは音声処理回路２０７に供給されてＤ／Ａ変換等の必要な処理が施される。そして、ミューティングがオフ状態にあるとき、音声処理回路２０７から出力される各音声信号ＳFL，ＳFR，ＳFC，ＳRL，ＳRRが増幅されて音声出力端子２０９ａ，２０９ｂ，２０９ｃ，２０９ｄ，２０９ｅに出力される。そのため、スピーカ群５００から音声が出力される。
【００４６】
また、高速データラインインタフェース２０３ａでは、ＨＤＭＩ端子２０１ａに接続されているＨＤＭＩケーブル６１０の所定ラインを通じてテレビ受信機１００から送信されてくる、リモコンコードが含まれたＩＰパケットが受信される。このＩＰパケットはイーサネットインタフェース２１１を介してＣＰＵ２１３に供給される。ＣＰＵ２１３は、当該ＩＰパケットに含まれるリモコンコードがオーディオアンプ２００の制御に関係する場合、このリモコンコードに基づいて、オーディオアンプ２００の各部を制御する。例えば、ＣＰＵ２１３は、リモコンコードが、外部音声出力モードとしての「シアターモード」の指示を示すときは、音声増幅回路２０８のミューティングがオン状態からオフ状態になるように制御する。
【００４７】
なお、上述したように高速データラインインタフェース２０３ａで受信され、イーサネットインタフェース２１１に供給されるパーシャルＴＳおよびＩＰパケットは、高速データラインインタフェース２０３ｂに送信データとして供給される。そのため、これらパーシャルＴＳおよびＩＰパケットは、ＨＤＭＩ端子２０１ｂに接続されたＨＤＭＩケーブル６２０の所定ラインを介してＤＶＤレコーダ３００に送信される。
【００４８】
図５は、ＤＶＤレコーダ３００の構成例を示している。このＤＶＤレコーダ３００は、ＨＤＭＩ端子３０１と、ＨＤＭＩ送信部３０２と、高速データラインインタフェース３０３と、アンテナ端子３０４と、デジタルチューナ３０５と、デマルチプレクサ３０６と、内部バス３０７と、記録部インタフェース３０８と、ＤＶＤ／ＢＤドライブ３０９と、ＨＤＤ(Hard Disk Drive)３１０と、ＣＰＵ３１１と、フラッシュＲＯＭ３１２と、ＤＲＡＭ３１３と、イーサネットインタフェース（Ethernet I/F）３１４と、ネットワーク端子３１５と、ＤＴＣＰ回路３１６と、ＭＰＥＧデコーダ３１７と、グラフィック生成回路３１８と、映像出力端子３１９と、音声出力端子３２０とを有している。ここで、デジタルチューナ３０５およびデマルチプレクサ３０６は放送受信部を構成している。
【００４９】
ＨＤＭＩ送信部（ＨＤＭＩソース）３０２は、ＨＤＭＩに準拠した通信により、ベースバンドの映像（画像）と音声のデータを、ＨＤＭＩ端子３０１からＨＤＭＩケーブル６２０に送出する。このＨＤＭＩ送信部３０２の詳細は後述する。
【００５０】
高速データラインインタフェース３０３は、ＨＤＭＩケーブル６２０を構成する所定のライン（この実施の形態においては、リザーブライン、ＨＰＤライン）を用いた双方向通信のインタフェースである。この高速データラインインタフェース３０３の詳細は後述する。
【００５１】
アンテナ端子３０４は、上述した受信アンテナ４００で受信されたテレビ放送信号を入力する端子である。デジタルチューナ３０５は、アンテナ端子３０４に入力されるテレビ放送信号を処理して、所定のトランスポートストリームを出力する。デマルチプレクサ３０６は、デジタルチューナ３０５で得られたトランスポートストリームから、所定の選択チャネルに対応した、パーシャルＴＳ（Transport Stream）（映像データのＴＳパケット、音声データのＴＳパケット）を抽出する。
【００５２】
また、デマルチプレクサ３０６は、デジタルチューナ３０５で得られたトランスポートストリームから、ＰＳＩ／ＳＩ(Program Specific Information/Service Information)を取り出し、ＣＰＵ３１１に出力する。デジタルチューナ３０５で得られたトランスポートストリームには複数のチャネルが多重化されている。デマルチプレクサ３０６で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００５３】
ＣＰＵ３１１、フラッシュＲＯＭ３１２、ＤＲＡＭ３１３、デマルチプレクサ３０６、イーサネットインタフェース３１４、および記録部インタフェース３０８は、内部バス３０７に接続されている。ＤＶＤ／ＢＤドライブ３０９およびＨＤＤ３１０は、記録部インタフェース３０８を介して内部バス３０７に接続されている。ＤＶＤ／ＢＤドライブ３０９およびＨＤＤ３１０は、デマルチプレクサ３０６で抽出されたパーシャルＴＳを記録する。また、ＤＶＤ／ＢＤドライブ３０９およびＨＤＤ３１０は、それぞれ、記録媒体に記録されているパーシャルＴＳを再生する。
【００５４】
ＭＰＥＧデコーダ３１７は、デマルチプレクサ３０６で抽出された、あるいは、ＤＶＤ／ＢＤドライブ３０９およびＨＤＤ３１０で再生されたパーシャルＴＳを構成する映像ＰＥＳパケットに対してデコード処理を行って映像データを得る。また、ＭＰＥＧデコーダ３１７は、当該パーシャルＴＳを構成する音声ＰＥＳパケットに対してデコード処理を行って音声データを得る。
【００５５】
グラフィック生成回路３１８は、ＭＰＥＧデコーダ３１７で得られた映像データに対して、必要に応じてグラフィックスデータの重畳処理等を行う。映像出力端子３１９は、グラフィック生成回路３１８から出力される映像データを出力する。音声出力端子３２０は、ＭＰＥＧデコーダ３１７で得られた音声データを出力する。
【００５６】
ＤＴＣＰ回路３１６は、デマルチプレクサ３０６で抽出されたパーシャルＴＳ、あるいはＤＶＤ／ＢＤドライブ３０９およびＨＤＤ３１０で再生されたパーシャルＴＳを、必要に応じて暗号化する。また、ＤＴＣＰ回路３１６は、ネットワーク端子３１５あるいは高速データラインインタフェース３０３からイーサネットインタフェース３１４に供給される暗号化データを復号する。
【００５７】
ＣＰＵ３１１は、ＤＶＤレコーダ３００の各部の動作を制御する。フラッシュＲＯＭ３１２は、制御ソフトウェアの格納およびデータの保管を行う。ＤＲＡＭ３１３は、ＣＰＵ３１１のワークエリアを構成する。ＣＰＵ３１１は、フラッシュＲＯＭ３１２から読み出したソフトウェアやデータをＤＲＡＭ３１３上に展開してソフトウェアを起動させ、ＤＶＤレコーダ３００の各部を制御する。
【００５８】
図５に示すＤＶＤレコーダ３００の動作を簡単に説明する。
【００５９】
アンテナ端子３０４に入力されるテレビ放送信号はデジタルチューナ３０５に供給される。このデジタルチューナ３０５では、テレビ放送信号を処理して、所定のトランスポートストリームが取り出され、当該所定のトランスポートストリームはデマルチプレクサ３０６に供給される。このデマルチプレクサ３０６では、トランスポートストリームから、所定のチャネルに対応した、パーシャルＴＳ（映像データのＴＳパケット、音声データのＴＳパケット）が抽出される。このパーシャルＴＳは、記録部インタフェース３０８を介してＤＶＤ／ＢＤドライブ３０９、あるいはＨＤＤ３１０に供給され、ＣＰＵ３１１からの記録指示に基づいて記録される。
【００６０】
また、上述したようにデマルチプレクサ３０６で抽出されるパーシャルＴＳ、または、ＤＶＤ／ＢＤドライブ３０９、あるいはＨＤＤ３１０で再生されるパーシャルＴＳは、ＭＰＥＧデコーダ３１７に供給される。このＭＰＥＧデコーダ３１７では、映像データのＴＳパケットにより構成される映像ＰＥＳパケットに対してデコード処理が行われて映像データが得られる。この映像データは、グラフィック生成回路３１８でグラフィックスデータの重畳処理等が行われた後に、映像出力端子３１９に出力される。また、ＭＰＥＧデコーダ３１７では、音声データのＴＳパケットにより構成される音声ＰＥＳパケットに対してデコード処理が行われて音声データが得られる。この音声データは、音声出力端子３２０に出力される。
【００６１】
ＤＶＤ／ＢＤドライブ３０９、あるいはＨＤＤ３１０で再生されたパーシャルＴＳに対応してＭＰＥＧデコーダ３１７で得られた映像（画像）データおよび音声データはＨＤＭＩ送信部３０２に供給され、該ＨＤＭＩ端子３０２に接続されたＨＤＭＩケーブル６２０を介してオーディオアンプ２００側に送信される。
【００６２】
高速データラインインタフェース３０３では、ＨＤＭＩ端子３０１に接続されているＨＤＭＩケーブル６２０の所定ラインを通じてオーディオアンプ２００側から送信されてくる、暗号化されたパーシャルＴＳが受信される。このパーシャルＴＳはイーサネットインタフェース３１４を介してＤＴＣＰ回路３１６に供給されて復号化される。
【００６３】
ＤＴＣＰ回路３１６で復号化されたパーシャルＴＳはＣＰＵ３１１に供給される。ＣＰＵ３１１は、当該パーシャルＴＳを解析して、上述したテレビ受信機１００でどのチャネルが選局されているかを示す選局情報としてのパケットＩＤ（ＰＩＤ）を抽出する、そして、ＣＰＵ３１１は、当該パケットＩＤに基づいてデジタルチューナ３０５およびデマルチプレクサ３０６を制御し、テレビ受信機１００と同じチャネルを選局させる。この場合、テレビ受信機１００における選局チャネルが変化する際、ＤＶＤレコーダ３００における選局チャネルも同様に変化する。
【００６４】
また、高速データラインインタフェース３０３では、ＨＤＭＩ端子３０１に接続されているＨＤＭＩケーブル６２０の所定ラインを通じてオーディオアンプ２００側から送信されてくる、リモコンコードが含まれたＩＰパケットが受信される。このＩＰパケットはイーサネットインタフェース３１４を介してＣＰＵ３１１に供給される。ＣＰＵ３１１は、当該ＩＰパケットに含まれるリモコンコードがＤＶＤレコーダ３００の制御に関係する場合、このリモコンコードに基づいて、ＤＶＤレコーダ３００の各部を制御する。
【００６５】
例えば、ＣＰＵ３１１は、リモコンコードが、記録を指示するものであるときは、デマルチプレクサ３０６で抽出されたパーシャルＴＳがＤＶＤ／ＢＤドライブ３０９、あるいはＨＤＤ３１０で記録されるように制御する。
【００６６】
また、デマルチプレクサ３０６で抽出されたパーシャルＴＳ、または、ＤＶＤ／ＢＤドライブ３０９、あるいはＨＤＤ３１０で再生されたパーシャルＴＳをネットワークに送出する際には、該パーシャルＴＳは、ＤＴＣＰ回路３１６で暗号化された後、イーサネットインタフェース３１４を介してネットワーク端子３１５に出力される。
【００６７】
図６は、図１の通信システム１０における、テレビ受信機１００のＨＤＭＩ受信部（ＨＤＭＩシンク）１０２と、オーディオアンプ２００のＨＤＭＩ送信部（ＨＤＭＩソース）２０２ａの構成例を示している。
【００６８】
ＨＤＭＩ送信部２０２ａは、ある垂直同期信号から次の垂直同期信号までの区間（以下、適宜、「ビデオフィールド」という）から、水平ブランキング期間および垂直ブランキング期間を除いた区間である有効画像区間（以下、適宜、「アクティブビデオ区間」という）において、ベースバンド（非圧縮）の一画面分の画像データの差動信号を、複数のチャネルで、ＨＤＭＩ受信部１０２に一方向に送信する。また、ＨＤＭＩ送信部２０２ａは、水平ブランキング期間および垂直ブランキング期間において、画像データに付随する音声データおよび制御パケット（Control Packet）、さらにその他の補助データ等に対応する差動信号を、複数のチャネルで、ＨＤＭＩ受信部１０２に一方向に送信する。
【００６９】
ＨＤＭＩ送信部２０２ａは、ソース信号処理部７１およびＨＤＭＩトランスミッタ７２を有する。ソース信号処理部７１には、ベースバンドの非圧縮の画像（Video）および音声（Audio）のデータが供給される。ソース信号処理部７１は、供給される画像および音声のデータに必要な処理を施し、ＨＤＭＩトランスミッタ７２に供給する。また、ソース信号処理部７１は、ＨＤＭＩトランスミッタ７２との間で、必要に応じて、制御用の情報やステータスを知らせる情報（Control/Status）等をやりとりする。
【００７０】
ＨＤＭＩトランスミッタ７２は、ソース信号処理部７１から供給される画像データを、対応する差動信号に変換し、複数のチャネルである３つのＴＭＤＳチャネル＃０，＃１，＃２で、ＨＤＭＩケーブル６１０を介して接続されているＨＤＭＩ受信部１０２に、一方向に送信する。
【００７１】
さらに、トランスミッタ７２は、ソース信号処理部７１から供給される、非圧縮の画像データに付随する音声データや制御パケットその他の補助データ（auxiliary data）と、垂直同期信号（VSYNC）、水平同期信号（HSYNC）等の制御データ（control data）とを、対応する差動信号に変換し、３つのＴＭＤＳチャネル＃０，＃１，＃２で、ＨＤＭＩケーブル６１０を介して接続されているＨＤＭＩ受信部１０２に、一方向に送信する。
【００７２】
また、トランスミッタ７２は、３つのＴＭＤＳチャネル＃０，＃１，＃２で送信する画像データに同期したピクセルクロックを、ＴＭＤＳクロックチャネルで、ＨＤＭＩケーブル６１０を介して接続されているＨＤＭＩ受信部１０２に送信する。
【００７３】
ＨＤＭＩ受信部１０２は、アクティブビデオ区間において、複数チャネルで、ＨＤＭＩ送信部２０２ａから一方向に送信されてくる、画像データに対応する差動信号を受信すると共に、水平ブランキング期間および垂直ブランキング期間において、複数のチャネルで、ＨＤＭＩ送信部２０２ａから送信されてくる、補助データや制御データに対応する差動信号を受信する。
【００７４】
ＨＤＭＩ受信部１０２は、ＨＤＭＩレシーバ８１およびシンク信号処理部８２を有する。ＨＤＭＩレシーバ８１は、ＴＭＤＳチャネル＃０，＃１，＃２で、ＨＤＭＩケーブル６１０を介して接続されているＨＤＭＩ送信部２０２ａから一方向に送信されてくる、画像データに対応する差動信号と、補助データや制御データに対応する差動信号を、同じくＨＤＭＩ送信部２０２ａからＴＭＤＳクロックチャネルで送信されてくるピクセルクロックに同期して受信する。さらに、ＨＤＭＩレシーバ８１は、差動信号を、対応する画像データ、補助データ、制御データに変換し、必要に応じて、シンク信号処理部８２に供給する。
【００７５】
シンク信号処理部８２は、ＨＤＭＩレシーバ８１から供給されるデータに必要な処理を施して出力する。その他、シンク信号処理部８２は、ＨＤＭＩレシーバ８１との間で、必要に応じて、制御用の情報やステータスを知らせる情報（Control/Status）等をやりとりする。
【００７６】
ＨＤＭＩの伝送チャネルには、ＨＤＭＩ送信部２０２ａからＨＤＭＩ受信部１０２に対して、画像データ、補助データ、および制御データを、ピクセルクロックに同期して、一方向にシリアル伝送するための３つのＴＭＤＳチャネル＃０，＃１，＃２と、ピクセルクロックを伝送する伝送チャネルとしてのＴＭＤＳクロックチャネルとの他に、ＤＤＣ(Display Data Channel)８３、さらには、ＣＥＣライン８４と呼ばれる伝送チャネルがある。
【００７７】
ＤＤＣ８３は、ＨＤＭＩケーブル６１０に含まれる図示しない２本のライン（信号線）からなり、ソース機器が、ＨＤＭＩケーブル６１０を介して接続されたシンク機器から、Ｅ−ＥＤＩＤ(Enhanced-Extended Display Identification)を読み出すために使用される。すなわち、シンク機器は、ＥＤＩＤＲＯＭ８５を有している。ソース機器は、ＨＤＭＩケーブル６１０を介して接続されているシンク機器から、ＥＤＩＤＲＯＭ８５が記憶しているＥ−ＥＤＩＤを、ＤＤＣ８３を介して読み出し、当該Ｅ−ＥＤＩＤに基づき、シンク機器の設定、性能を認識する。
【００７８】
ＣＥＣライン８４は、ＨＤＭＩケーブル６１０に含まれる図示しない１本のラインからなり、ソース機器とシンク機器との間で、制御用のデータの双方向通信を行うために用いられる。
【００７９】
また、ＨＤＭＩケーブル６２０には、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブル６２０には、ソース機器からシンク機器に電源を供給するために用いられるライン８７が含まれている。さらに、ＨＤＭＩケーブル６１０には、リザーブライン８８が含まれている。
【００８０】
図７は、ＨＤＭＩの３つのＴＭＤＳチャネル＃０，＃１，＃２で各種の伝送データが伝送される伝送区間（期間）の例を示している。なお、図７は、ＴＭＤＳチャネル＃０，＃１，＃２において、横×縦が７２０×４８０画素のプログレッシブの画像が伝送される場合の、各種の伝送データの区間を示している。
【００８１】
ＨＤＭＩの３つのＴＭＤＳチャネル＃０，＃１，＃２で伝送データが伝送されるビデオフィールド（Video Field）には、伝送データの種類に応じて、ビデオデータ区間（Video Data period）、データアイランド区間（Data Island period）、およびコントロール区間（Control period）の３種類の区間が存在する。
【００８２】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（vertical blanking）、並びに、ビデオフィールド区間から、水平ブランキング期間および垂直ブランキング期間を除いた区間であるアクティブビデオ区間（Active Video）に分けられる。
【００８３】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００８４】
データアイランド区間およびコントロール区間は、水平ブランキング期間および垂直ブランキング期間に割り当てられる。このデータアイランド区間およびコントロール区間では、補助データ（Auxiliary data）が伝送される。
【００８５】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００８６】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００８７】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【００８８】
図８は、ＨＤＭＩ端子１０１，２０１ａのピン配列を示している。このピン配列はタイプＡ（type-A）と呼ばれている。
【００８９】
ＴＭＤＳチャネル＃ｉの差動信号であるTMDS Data#i+とTMDS Data#i-が伝送される差動線である２本のラインは、TMDS Data#i+が割り当てられているピン（ピン番号が１，４，７のピン）と、TMDS Data#i-が割り当てられているピン（ピン番号が３，６，９のピン）に接続される。
【００９０】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(Serial Data)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００９１】
また、上述したようにソース機器１１０がシンク機器１２０の接続を検出するためのライン８６は、ピン番号が１９であるピンに接続される。また、上述したように電源を供給するためのライン８７は、ピン番号が１８であるピンに接続される。
【００９２】
なお、図６は、図１の通信システム１０における、オーディオアンプ２００のＨＤＭＩ送信部（ＨＤＭＩソース）２０２ａとテレビ受信機１００のＨＤＭＩ受信部（ＨＤＭＩシンク）１０２の構成例を示している。詳細説明は省略するが、図１の通信システム１０における、ＤＶＤレコーダ３００のＨＤＭＩ送信部３０２とオーディオアンプ２００のＨＤＭＩ受信部２０２ｂも、同様に構成されている。
【００９３】
図９は、図１の通信システム１０における、テレビ受信機１００の高速データラインインタフェース１０３と、オーディオアンプ２００の高速データラインインタフェース２０３ａの構成例を示している。これらインタフェース１０３，２０３ａは、ＬＡＮ(Local Area Network)通信を行う通信部を構成する。この通信部は、ＨＤＭＩケーブル６１０を構成する複数のラインのうち、１対の差動ライン、この実施の形態においては、空き（Reserve）ピン（１４ピン）に対応したリザーブライン（Ether−ライン）、およびＨＰＤピン（１９ピン）に対応したＨＰＤライン（Ether＋ライン）を用いて、通信を行う。
【００９４】
オーディオアンプ２００は、ＬＡＮ信号送信回路４１１、終端抵抗４１２、ＡＣ結合容量４１３，４１４、ＬＡＮ信号受信回路４１５、減算回路４１６、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインインタフェース２０３ａは、ＬＡＮ信号送信回路４１１、終端抵抗４１２、ＡＣ結合容量４１３，４１４、ＬＡＮ信号受信回路４１５、減算回路４１６により構成されている。
【００９５】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、イーサネットインタフェース２１１から送信信号ＳＧ411が供給される。
【００９６】
また、減算回路４１６の正側端子には、ＬＡＮ信号受信回路４１５の出力信号ＳＧ412が供給され、この減算回路４１６の負側端子には、イーサネットインタフェース２１１から送信信号ＳＧ411が供給される。この減算回路４１６では、ＬＡＮ信号受信回路４１５の出力信号ＳＧ412から送信信号ＳＧ411が減算される。この減算回路４１６の出力信号ＳＧ413は、イーサネットインタフェース２１１に供給される。
【００９７】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414はＣＰＵ２１３（図示していない）に供給される。
【００９８】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415はＣＰＵ２１３に供給される。
【００９９】
テレビ受信機１００は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース１０３は、ＬＡＮ信号送信回路４４１、終端抵抗４４２、ＡＣ結合容量４４３，４４４、ＬＡＮ信号受信回路４４５、減算回路４４６により構成されている。
【０１００】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【０１０１】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、イーサネットインタフェース１２４から送信信号ＳＧ417が供給される。
【０１０２】
また、減算回路４４６の正側端子には、ＬＡＮ信号受信回路４４５の出力信号ＳＧ418が供給され、この減算回路４４６の負側端子には、イーサネットインタフェース１２４から送信信号ＳＧ417が供給される。この減算回路４４６では、ＬＡＮ信号受信回路４４５の出力信号ＳＧ418から送信信号ＳＧ417が減算される。この減算回路４４６の出力信号ＳＧ419は、イーサネットインタフェース１２４に供給される。
【０１０３】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416はＣＰＵ１２１（図示していない）に供給される。
【０１０４】
ＨＤＭＩケーブル６１０に含まれるリザーブライン５０１およびＨＰＤライン５０２は、差動ツイストペアを構成している。リザーブライン５０１のソース側端５１１はＨＤＭＩ端子２０１ａの１４ピンに接続され、当該リザーブライン５０１のシンク側端はＨＤＭＩ端子１０１の端子５２１（１４ピン）に接続される。また、ＨＰＤライン５０２のソース側端５１２はＨＤＭＩ端子２０１ａの１９ピンに接続され、当該ＨＰＤライン５０２のシンク側端５２２はＨＤＭＩ端子１０１の１９ピンに接続される。
【０１０５】
オーディオアンプ２００において、上述したプルアップ抵抗４２１とＡＣ結合容量４１３の互いの接続点Ｑ１はＨＤＭＩ端子２０１ａの１４ピンに接続され、また、上述したプルダウン抵抗４３１とＡＣ結合容量４１４の互いの接続点Ｑ２はＨＤＭＩ端子２０１ａの１９ピンに接続される。一方、テレビ受信機１００において、上述したプルダウン抵抗４５１とＡＣ結合容量４４３の互いの接続点Ｑ３はＨＤＭＩ端子１０１の１４ピンに接続され、また、上述したチョークコイル４６１とＡＣ結合容量４４４の互いの接続点Ｑ４はＨＤＭＩ端子１０１の１９ピンに接続される。
【０１０６】
次に、上述したように構成された高速データラインインタフェース１０３，２０３ａによるＬＡＮ通信の動作を説明する。
【０１０７】
オーディオアンプ２００において、イーサネットインタフェース２１１から出力される送信信号ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブル６１０の１対のライン（リザーブライン５０１、ＨＰＤライン５０２）を通じて、テレビ受信機１００に送信される。
【０１０８】
また、テレビ受信機１００において、イーサネットインタフェース１２４から出力される送信信号ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブル６１０の１対のライン（リザーブライン５０１、ＨＰＤライン５０２）を通じて、オーディオアンプ２００に送信される。
【０１０９】
また、オーディオアンプ２００において、ＬＡＮ信号受信回路４１５の入力側は接続点Ｐ１，Ｐ２に接続されていることから、当該ＬＡＮ信号受信回路４１５の出力信号ＳＧ412として、ＬＡＮ信号送信回路４１１から出力された差動信号（電流信号）に対応した送信信号と、上述したようにテレビ受信機１００から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、テレビ受信機１００の送信信号ＳＧ417に対応したものとなる。
【０１１０】
また、テレビ受信機１００において、ＬＡＮ信号受信回路４４５の入力側は接続点Ｐ３，Ｐ４に接続されていることから、当該ＬＡＮ信号受信回路４４５の出力信号ＳＧ418として、ＬＡＮ信号送信回路４４１から出力された差動信号（電流信号）に対応した送信信号と、上述したようにオーディオアンプ２００から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、オーディオアンプ２００の送信信号ＳＧ411に対応したものとなる。
【０１１１】
このようにテレビ受信機１００の高速データラインインタフェース１０３とオーディオアンプ２００の高速データラインインタフェース２０３ａとの間では、双方向のＬＡＮ通信を行うことができる。
【０１１２】
なお、図９において、ＨＰＤライン５０２は、上述のＬＡＮ通信の他に、ＤＣバイアスレベルで、ＨＤＭＩケーブル６１０がテレビ受信機１００に接続されたことをオーディオアンプ２００に伝達する。すなわち、テレビ受信機１００内の抵抗４６２，４６３とチョークコイル４６１は、ＨＤＭＩケーブル６１０がテレビ受信機１００に接続されるとき、ＨＰＤライン５０２を、ＨＤＭＩ端子１０１の１９ピンを介して、約４Ｖにバイアスする。オーディオアンプ２００は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１１３】
ＨＤＭＩ端子２０１ａの１９ピンの電圧は、ＨＤＭＩケーブル６１０がテレビ受信機１００に接続されていなければ、プルダウン抵抗４３１が存在するために基準電圧Ｖref2より低く、逆に、ＨＤＭＩケーブル６１０がテレビ受信機１００に接続されていれば基準電圧Ｖref2より高い。したがって、比較器４３４の出力信号ＳＧ415は、ＨＤＭＩケーブル６１０がテレビ受信機１００に接続されているときは高レベルとなり、そうでないときは低レベルとなる。これにより、オーディオアンプ２００のＣＰＵ２１３は、比較器４３４の出力信号ＳＧ415に基づいて、ＨＤＭＩケーブル６１０がテレビ受信機１００に接続されたか否かを認識できる。
【０１１４】
また、図９において、リザーブライン５０１のＤＣバイアス電位で、ＨＤＭＩケーブル６１０の両端に接続された機器が、ＬＡＮ通信が可能な機器（以下、「ｅ−ＨＤＭＩ対応機器」という）であるか、ＬＡＮ通信が不可能な機器（以下、「ｅ−ＨＤＭＩ非対応機器」かを、相互に認識する機能を有している。
【０１１５】
上述したように、オーディオアンプ２００はリザーブライン５０１を抵抗４２１でプルアップ（＋５Ｖ）し、テレビ受信機１００はリザーブライン５０１を抵抗４５１でプルダウンする。抵抗４２１，４５１は、ｅ−ＨＤＭＩ非対応機器には存在しない。
【０１１６】
オーディオアンプ２００は、上述したように、比較器４２４で、抵抗４２２および容量４２３からなるローパスフィルタを通過したリザーブライン５０１のＤＣ電位を基準電圧Ｖref1と比較する。テレビ受信機１００が、ｅ−ＨＤＭＩ対応機器でプルダウン抵抗４５１があるときには、リザーブライン５０１の電圧が２．５Ｖとなる。しかし、テレビ受信機１００が、ｅ−ＨＤＭＩ非対応機器でプルダウン抵抗４５１がないときには、リザーブライン５０１の電圧がプルアップ抵抗４２１の存在により５Ｖとなる。
【０１１７】
そのため、基準電圧Ｖref1が例えば３．７５Ｖとされることで、比較器４２４の出力信号ＳＧ414は、テレビ受信機１００がｅ−ＨＤＭＩ対応機器であるときは低レベルとなり、そうでないときは高レベルとなる。これにより、オーディオアンプ２００のＣＰＵ２１３は、比較器４２４の出力信号ＳＧ414に基づいて、テレビ受信機１００がｅ−ＨＤＭＩ対応機器であるか否かを認識できる。
【０１１８】
同様に、テレビ受信機１００は、上述したように、比較器４５４で、抵抗４５２および容量４５３からなるローパスフィルタを通過したリザーブライン５０１のＤＣ電位を基準電圧Ｖref3と比較する。オーディオアンプ２００が、ｅ−ＨＤＭＩ対応機器でプルアップ抵抗４２１があるときには、リザーブライン５０１の電圧が２．５Ｖとなる。しかし、オーディオアンプ２００が、ｅ−ＨＤＭＩ非対応機器でプルアップ抵抗４２１がないときには、リザーブライン５０１の電圧がプルダウン抵抗４５１の存在により０Ｖとなる。
【０１１９】
そのため、基準電圧Ｖref3が例えば１．２５Ｖとされることで、比較器４５４の出力信号ＳＧ416は、ソース機器１１０がｅ−ＨＤＭＩ対応機器であるときは高レベルとなり、そうでないときは低レベルとなる。これにより、テレビ受信機１００のＣＰＵ１２１は、比較器４５４の出力信号ＳＧ416に基づいて、オーディオアンプ２００がｅ−ＨＤＭＩ対応機器であるか否かを認識できる。
【０１２０】
なお、図９に示したプルアップ抵抗４２１が、オーディオアンプ２００内ではなく、ＨＤＭＩケーブル６１０に設けられているようにしてもよい。そのような場合、プルアップ抵抗４２１の端子のそれぞれは、ＨＤＭＩケーブル６１０内に設けられたラインのうち、リザーブライン５０１、および電源（電源電位）に接続されるライン（信号線）のそれぞれに接続される。
【０１２１】
さらに、図９に示したプルダウン抵抗４５１および抵抗４６３がテレビ受信機１００内ではなく、ＨＤＭＩケーブル６１０内に設けられているようにしてもよい。そのような場合、プルダウン抵抗４５１の端子のそれぞれは、ＨＤＭＩケーブル６１０内に設けられたラインのうち、リザーブライン５０１、およびグランド（基準電位）に接続されるライン（グランド線）のそれぞれに接続される。また、抵抗４６３の端子のそれぞれは、ＨＤＭＩケーブル６１０内に設けられたラインのうち、ＨＰＤライン５０２、およびグランド（基準電位）に接続されるライン（グランド線）のそれぞれに接続される。
【０１２２】
また、図９は、図１の通信システム１０における、テレビ受信機１００の高速データラインインタフェース１０３と、オーディオアンプ２００の高速データラインインタフェース２０３ａの構成例を示している。詳細説明は省略するが、図１の通信システム１０における、オーディオアンプ２００の高速データラインインタフェース２０３ｂとＤＶＤレコーダ３００の高速データラインインタフェース３０３も、同様に構成されている。
【０１２３】
次に、図１に示す通信システム１０における種々の動作シーケンスについて説明する。まず、図１０のシーケンス図を参照して、テレビ受信機１００で見ている映像（画像）を記録する「ワンタッチ録画」のシーケンスを説明する。
【０１２４】
（ａ）ユーザがリモコン送信機１２７で受信チャネル変更の操作（Channel Change）を行った場合、（ｂ）テレビ受信機１００のＣＰＵ１２１はデジタルチューナ１０６、デマルチプレクサ１０７を制御し、ユーザが選局したチャネルの受信状態とする。（ｃ）テレビ受信機１００は、上述したように受信チャネルを変更するとき、デマルチプレクサ１０７で抽出したパーシャルＴＳを、ＤＴＣＰ回路１１６で暗号化した後、イーサネットインタフェース１２４および高速データラインインタフェース１０３を介して、ＤＶＤレコーダ３００に送信する。
【０１２５】
（ｄ）ＤＶＤレコーダ３００は、テレビ受信機１００から送られてくるパーシャルＴＳを高速データラインインタフェース３０３で受信し、さらにＤＴＣＰ回路３０６で復号化する。そして、ＤＶＤレコーダ３００のＣＰＵ３１１は、当該パーシャルＴＳに含まれる選局情報（パケットＩＤ）に基づいて、デジタルチューナ３０５およびデマルチプレクサ３０６を制御し、テレビ受信機１００と同じチャネルの受信状態とする。
【０１２６】
（ｅ）その後、ユーザがリモコン送信機１２７で記録指示（One Touch Record）を行った場合、（ｆ）テレビ受信機１００のＣＰＵ１２１は、リモコン受信部１２６で受信した記録を指示するリモコンコード（リモートコントロール信号）を含むＩＰパケットを生成し、（ｇ）当該ＩＰパケットをイーサネットインタフェース１２４および高速データラインインタフェース１０３を介して、ＤＶＤレコーダ３００に送信する。
【０１２７】
（ｈ）ＤＶＤレコーダ３００は、テレビ受信機１００から送られてくるＩＰパケットを高速データラインインタフェース３０３で受信する。ＤＶＤレコーダ３００のＣＰＵ３１１は、当該ＩＰパケットに含まれている記録を指示するリモコンコードに基づいて、ＤＶＤ／ＢＤドライブ３０９あるいはＨＤＤ３１０に、デマルチプレクサ３０６で抽出されたパーシャルＴＳの記録を開始させる。
【０１２８】
（ｉ）ＤＶＤレコーダ３００のＣＰＵ３１１は、ＤＶＤ／ＢＤドライブ３０９あるいはＨＤＤ３１０における記録ステータス情報をペイロードに含むＩＰパケットを生成し、当該ＩＰパケットを、イーサネットインタフェース３１４および高速データラインインタフェース３０３を介して、テレビ受信機１００に送信する。
【０１２９】
（ｊ）テレビ受信機１００は、ＤＶＤレコーダ３００から送られてくるＩＰパケットを高速データラインインタフェース１０３で受信する。ＣＰＵ１２１は、当該ＩＰパケットに含まれている記録ステータス情報に基づいて、必要に応じてグラフィック生成回路１１０を制御し、表示パネル１１２に画像に重畳して録画ステータスを表示する。
【０１３０】
上述の図１０に示す「ワンタッチ録画」のシーケンスによれば、テレビ受信機１００の受信チャネルが変更されるとき、選局情報を持つパーシャルＴＳが高速データラインインタフェース１０３を通じて直ちにＤＶＤレコーダ３００側に送信され、ＤＶＤレコーダ３００の受信チャネルが変更される。そして、ユーザが記録指示を行った場合、テレビ受信機１００から、記録を指示するリモコンコマンドを含むＩＰパケットが高速データラインインタフェース１０３を通じて直ちにＤＶＤレコーダ３００側に送信されるので、ＤＶＤレコーダ３００で、テレビ受信機１００で視聴している受信チャネルのパーシャルＴＳの記録を即座に開始させることができる。
【０１３１】
なお、図１１は、図１に示す通信システム１０の各機器が高速データラインインタフェースを備えていなかった場合における「ワンタッチ録画」のシーケンスを、比較例として示している。
【０１３２】
（ａ）ユーザがリモコン送信機１２７で受信チャネル変更の操作（Channel Change）を行った場合、（ｂ）テレビ受信機１００のＣＰＵ１２１はデジタルチューナ１０６、デマルチプレクサ１０７を制御し、ユーザが選局したチャネルの受信状態とする。
【０１３３】
（ｃ）その後、ユーザがリモコン送信機１２７で記録指示（One Touch Record）を行った場合、（ｄ）テレビ受信機１００のＣＰＵ１２１は、リモコン受信部１２６で受信した記録を指示するリモコンコードをＨＤＭＩ  ＣＥＣ制御で使われるコマンドに変更し、（ｅ）当該コマンドを、ＣＥＣラインを用いて、ＤＶＤレコーダ３００に送信する。
【０１３４】
（ｆ）ＤＶＤレコーダ３００は、記録指示のコマンドを受信した後、テレビ受信機１００に、ＣＥＣラインを用いて、受信チャネル情報を問い合わせる。（ｇ）テレビ受信機１００は、この問い合わせに対して、受信チャネル情報を、ＣＥＣラインを用いて、ＤＶＤレコーダ３００に送信する。
【０１３５】
（ｈ）ＤＶＤレコーダ３００のＣＰＵ３１１は、テレビ受信機１００から送られてくる受信チャネル情報に基づいて、デジタルチューナ３０５、デマルチプレクサ３０６を制御し、受信チャネルを、テレビ受信機１００の受信チャネルに合わせ、（ｉ）ＤＶＤ／ＢＤドライブ３０９あるいはＨＤＤ３１０に、デマルチプレクサ３０６で抽出されたパーシャルＴＳの記録を開始させる。
【０１３６】
（ｊ）ＤＶＤレコーダ３００のＣＰＵ３１１は、ＤＶＤ／ＢＤドライブ３０９あるいはＨＤＤ３１０における記録ステータス情報を、ＣＥＣラインを用いて、テレビ受信機１００に送信する。（ｋ）テレビ受信機１００は、ＤＶＤレコーダ３００から送られてくる記録ステータス情報に基づいて、必要に応じてグラフィック生成回路１１０を制御し、表示パネル１１２に画像に重畳して録画ステータスを表示する。
【０１３７】
上述の図１１に示す「ワンタッチ録画」のシーケンスによれば、ユーザが記録指示を行った後に、ＤＶＤレコーダ３００の受信チャネルをテレビ受信機１００の受信チャネルに合わせて記録を始めるものであって、しかも、テレビ受信機１００からＤＶＤレコーダ３００への記録指示のコマンドの送信、ＤＶＤレコーダ３００からテレビ受信機１００の受信チャネル情報の問い合わせ、テレビ受信機１００からＤＶＤレコーダ３００への受信チャネル情報の送信などは、伝送速度の遅いＣＥＣラインを用いて行われる。したがって、ユーザが記録指示を行ってから記録が開始されるまでに、非常に長い時間を要する。
【０１３８】
次に、図１２のシーケンス図を参照して、テレビ受信機１００とオーディオアンプ２００の間で音声出力の切り替えを行う「シアターモード」のシーケンスを説明する。
【０１３９】
（ａ）ユーザがリモコン送信機１２７で「シアターモード」を指示したとき、（ｂ）テレビ受信機１００のＣＰＵ１２１は音声増幅回路１１４を制御して、スピーカ１１５の音声出力をミュートする。（ｃ）そして、テレビ受信機１００のＣＰＵ１２１は、オーディオアンプ２００のミュート解除コマンドを含むＩＰパケットを生成し、当該ＩＰパケットをイーサネットインタフェース１２４および高速データラインインタフェース１０３を介して、オーディオアンプ２００に送信する。
【０１４０】
（ｄ）オーディオアンプ２００は、テレビ受信機１００から送られてくるＩＰパケットを高速データラインインタフェース２０３ａで受信する。ＣＰＵ２１３は、当該ＩＰパケットに含まれているミュート解除コマンドに基づいて、音声増幅回路２０８を制御し、５．１ｃｈ用のスピーカ群５００の音声出力のミュートを解除する。これにより、テレビ受信機１００のスピーカ１１５から音声が出力される状態から、オーディオアンプ２００に接続されたスピーカ群５００から音声が出力される「シアターモード」に切り替えが行われる。
【０１４１】
なお、この場合、テレビ受信機１００は、デマルチプレクサ１０７で抽出したパーシャルＴＳを、ＤＴＣＰ回路１１６で暗号化した後、イーサネットインタフェース１２４および高速データラインインタフェース１０３を介して、オーディオアンプ２００側に送信している。そして、オーディオアンプ２００は、高速データラインインタフェース２０３ａでテレビ受信機１００から送信されてくるパーシャルＴＳを受信し、音声処理回路２０７からパーシャルＴＳに含まれる音声データによる音声信号を出力している。そのため、上述したように音声増幅回路２０８が制御され、５．１ｃｈ用のスピーカ群５００の音声出力のミュートを解除されるとき、当該スピーカ群５００から音声が直ちに出力される。
【０１４２】
（ｅ）オーディオアンプ２００のＣＰＵ２１３は、ミュートを解除した後、その結果をペイロードに含むＩＰパケットを生成し、当該ＩＰパケットを、イーサネットインタフェース２１１および高速データラインインタフェース２０３ａを介して、テレビ受信機１００に送信する。
【０１４３】
上述の図１２に示す「シアターモード」のシーケンスによれば、ユーザが「シアターモード」の指示を行った場合、テレビ受信機１００のスピーカ１１５の音声出力はミュートされると共に、ミュート解除コマンドを含むＩＰパケットが高速データラインインタフェース１０３を通じて直ちにオーディオアンプ２００に送信されるので、テレビ受信機１００のスピーカ１１５から音声が出力される状態から、オーディオアンプ２００に接続されたスピーカ群５００から音声が出力される「シアターモード」に即座に切り替えることができる。
【０１４４】
なお、図１３は、図１に示す通信システム１０の各機器が高速データラインインタフェースを備えていなかった場合における「シアターモード」のシーケンスを、比較例として示している。
【０１４５】
（ａ）ユーザがリモコン送信機１２７で「シアターモード」を指示したとき、（ｂ）テレビ受信機１００のＣＰＵ１２１は音声増幅回路１１４を制御して、スピーカ１１５の音声出力をミュートする。（ｃ）そして、テレビ受信機１００は、ＣＥＣラインを用いて、オーディオアンプ２００に、ミュート状況を問い合わせる。（ｄ）オーディオアンプ２００は、ミュート状況の問い合わせに対応して、ＣＥＣラインを用いて、ミュート状況をテレビ受信機１００に送信する。
【０１４６】
（ｅ）テレビ受信機１００のＣＰＵ１２１は、オーディオアンプ２００でミュートが解除されていないときは、ＣＥＣラインを用いて、オーディオアンプ２００に、ミュート解除を指示するＣＥＣコマンドを送信する。（ｆ）オーディオアンプ２００は、当該ＣＥＣコマンドに基づいて、音声増幅回路２０８を制御し、５．１ｃｈ用のスピーカ群５００の音声出力のミュートを解除する。これにより、テレビ受信機１００のスピーカ１１５から音声が出力される状態から、オーディオアンプ２００に接続されたスピーカ群５００から音声が出力される「シアターモード」に切り替えが行われる。なお、高速データラインインタフェースを備えていない場合、テレビ受信機１００からオーディオアンプ２００への音声データの供給は、例えば光ケーブルを介して行われる。
【０１４７】
（ｇ）オーディオアンプ２００のＣＰＵ２１３は、ミュートを解除した後、その結果を、ＣＥＣラインを用いて、テレビ受信機１００に送信する。
【０１４８】
上述の図１３に示す「シアターモード」のシーケンスによれば、ユーザが「シアターモード」を指示した後、テレビ受信機１００は、オーディオアンプ２００にミュート状況を問い合わせ、ミュートが解除されていないときオーディオアンプ２００にミュート解除を指示するＣＥＣコマンドを送信して「シアターモード」に切り替えるものである。そのため、ユーザが「シアターモード」を指示した後、実際に「シアターモード」に切り替えられるまでの時間が長くなる。また、上述の図１３に示す「シアターモード」の制御シーケンスによれば、ＨＤＭＩケーブル６１０の他に、音声データを送信するための光ケーブルも必要となる。
【０１４９】
次に、図１４のシーケンス図を参照して、「リモコン制御」のシーケンスを説明する。なお、図１４においては、テレビ受信機１００からＤＶＤレコーダ３００にリモコンコードを送信する場合の例である。
【０１５０】
（ａ）ユーザがリモコン送信機１２７の所定のボタン（リモコンボタン）を押し下げている間、（ｂ）テレビ受信機１００のＣＰＵ１２１は、リモコン受信部１２６で受信したリモコンコードを含むＩＰパケットを生成し、（ｃ）当該ＩＰパケットをイーサネットインタフェース１２４および高速データラインインタフェース１０３を介して、ＤＶＤレコーダ３００に送信する。
【０１５１】
（ｄ）ＤＶＤレコーダ３００は、テレビ受信機１００から送られてくるＩＰパケットを高速データラインインタフェース３０３で受信する。ＤＶＤレコーダ３００のＣＰＵ３１１は、当該ＩＰパケットに含まれているリモコンコードを解読して、ＤＶＤレコーダ３００の対応する個所を制御する。この場合、ＣＰＵ３１１は、当該ＩＰパケットの受信継続時間で、ユーザのボタン押し下げの長さを知ることができ、この押し下げの長さを考慮したリモコンコードの解読が可能である。
【０１５２】
（ｅ）テレビ受信機１００のＣＰＵ１２１は、ユーザがリモコン送信機１２７の所定のボタンの押し下げを停止した場合、（ｆ）リモコンコードを含むＩＰパケットを生成することを終了する。
【０１５３】
上述の図１４に示す「リモコン制御」のシーケンスによれば、テレビ受信機１００はリモコンコードを含むＩＰパケットを生成して、当該ＩＰパケットを、高速データラインインタフェース１０３を通じてＤＶＤレコーダ３００に送信して、ＤＶＤレコーダ３００の動作を制御するものである。したがって、テレビ受信機１００ではリモコンコードを例えばＣＥＣで定義されたコード等に変換する処理が不要となり、同様に、ＤＶＤレコーダ３００ではＣＥＣで定義されたコード等を元のリモコンコードに変換する処理が不要となり、リモコンコードの送信側および受信側の処理が簡単となる。また、テレビ受信機１００は、リモコンコードを含むＩＰパケットを、高速データラインインタフェース１０３を通じてＤＶＤレコーダ３００に送信するものであり、テレビ受信機１００側からのＤＶＤレコーダ３００のリモコン制御を速やかに行うことができる。
【０１５４】
なお、図１５は、図１に示す通信システム１０の各機器が高速データラインインタフェースを備えていなかった場合における「リモコン制御」のシーケンスを、比較例として示している。
【０１５５】
（ａ）ユーザがリモコン送信機１２７の所定のボタンを押し下げた場合、（ｂ）テレビ受信機１００のＣＰＵ１２１は、リモコン受信部１２６で受信したリモコンコードをＣＥＣで定義されたコード表に従ってＣＥＣコマンドに変換する。（ｃ）そして、ＣＰＵ１２１は、当該ＣＥＣコマンドを、ＣＥＣラインを用いてＤＶＤレコーダ３００に送信する。（ｄ）ＤＶＤレコーダ３００のＣＰＵ３１１は、テレビ受信機１００から送られてくるＣＥＣコマンドをリモコンコードに再変換し、当該リモコンコードを解読して、ＤＶＤレコーダ３００の対応する個所を制御する。
【０１５６】
（ｅ）その後、テレビ受信機１００のＣＰＵ１２１は、ユーザがリモコン送信機１２７の所定のボタンの押し下げを停止した場合、（ｆ）ＣＥＣで定義されたコマンドを生成し、（ｇ）当該ＣＥＣコマンドを、ＣＥＣラインを用いてＤＶＤレコーダ３００に送信する。（ｈ）ＤＶＤレコーダ３００のＣＰＵ３１１は、テレビ受信機１００から送られてくる、リモコンボタンの押し下げ停止を示すコマンドに基づいて、リモコンコードの解読を終了する。
【０１５７】
上述の図１５に示す「リモコン制御」のシーケンスによれば、テレビ受信機１００はリモコンコードをＣＥＣで定義されたコード表に従ってＣＥＣコマンドに変換してＤＶＤレコーダ３００に送り、ＤＶＤレコーダ３００では送られてきたＣＥＣコマンドをリモコンコードに再変換してリモコンコードの解読を行うものであり、リモコンコードの送信側および受信側の処理負荷が重くなる。また、リモコンコードを伝送速度の遅いＣＥＣラインを用いて送るものであり、ＣＥＣコマンドのデータ長が長い場合等にあっては、テレビ受信機１００側からのＤＶＤレコーダ３００のリモコン制御に遅延を招くことがある。
【０１５８】
以上説明したように、図１に示す通信システム１０においては、テレビ受信機１００から、オーディオアンプ２００、ＤＶＤレコーダ３００に、ＨＤＭＩケーブル６１０，６２０の２ライン（リザーブライン、ＨＰＤライン）を用いた双方向通信部を用いて、選局情報、記録指示のリモコンコード、「シアターモード」の指示情報、リモコンコード等を送信するものであり、オーディオアンプ２００、ＤＶＤレコーダ３００の動作状態を迅速に制御できる。
【０１５９】
なお、上述実施の形態においては、ＨＤＭＩケーブルのリザーブラインおよびＨＰＤラインを用いた高速双方向通信部を説明したが、当該高速双方向通信部は、ＨＤＭＩケーブルのその他のラインを用いて構成されるものであってもよい。
【０１６０】
また、上述実施の形態では、各機器の間の伝送路として、ＨＤＭＩ規格のインタフェースを前提として説明したが、その他の同様な伝送規格にも適用可能である。また、上述実施の形態においては、テレビ受信機１００、オーディオアンプ２００およびＤＶＤレコーダ３００で構成される通信システム１０を示したが、その他の機器により構成される同様の通信システムにも、この発明を同様に適用できる。
【０１６１】
また、上述実施の形態では、各機器の間で双方向のＩＰ通信を行うようにしたが、双方向の通信は、ＩＰ以外のプロトコルで行うことが可能である。また、上述実施の形態においては、各機器間をＨＤＭＩケーブルで接続したものを示したが、この発明は、各機器間の接続を無線で行うものにも、同様に適用できる。
【符号の説明】
【０１６２】
１０・・・通信システム、１００・・・テレビ受信機、１０１・・・ＨＤＭＩ端子、１０２・・・ＨＤＭＩ受信部、１０３・・・高速データラインインタフェース、２００・・・オーディオアンプ、２０１ａ，２０１ｂ・・・ＨＤＭＩ端子、２０２ａ・・・ＨＤＭＩ送信部、２０２ｂ・・・ＨＤＭＩ受信部、２０３ａ，２０３ｂ・・・高速データラインインタフェース、３００・・・ＤＶＤレコーダ、３０１・・・ＨＤＭＩ端子、３０２・・・ＨＤＭＩ送信部、３０３・・・高速データラインインタフェース、４００・・・受信アンテナ、５００・・・５．１ch用スピーカ群、６１０，６２０・・・ＨＤＭＩケーブル
【要約】
【課題】ＨＤＭＩのインタフェースを用いて接続される機器間の通信を良好に行う。
【解決手段】信号受信部により、外部機器から、差動信号により、ＨＤＭＩケーブルを介して映像信号を受信する。通信部により、ＨＤＭＩケーブルに含まれるリザーブラインとＨＰＤラインにより構成される双方向通信路を介して外部機器と通信を行う。通信部は、双方向通信路に共通に接続される送信回路と受信回路を有し、受信回路の出力信号から送信回路に入力する送信信号を減算して受信信号を得る。ＨＰＤラインは、直流バイアス電位によって外部機器に接続状態を通知する機能を有する。ミュート問い合わせ部により、ＨＤＭＩケーブルに含まれるＣＥＣラインを用いて外部機器にミュート状況を問い合わせ、外部機器からＣＥＣラインを用いて送られてくるミュート状況を受信する。
【選択図】図１３【図１】
0005585742.tif 000002
【図２】
0005585742.tif 000003
【図３】
0005585742.tif 000004
【図４】
0005585742.tif 000005
【図５】
0005585742.tif 000006
【図６】
0005585742.tif 000007
【図７】
0005585742.tif 000008
【図８】
0005585742.tif 000009
【図９】
0005585742.tif 000010
【図１０】
0005585742.tif 000011
【図１１】
0005585742.tif 000012
【図１２】
0005585742.tif 000013
【図１３】
0005585742.tif 000014
【図１４】
0005585742.tif 000015
【図１５】
0005585742.tif 000016